(57)【要約】【課題】  動作可能性が広い柄経糸用部分整経機を提供する。【解決手段】  柄経糸用部分整経機１は、整経ドラム２を有し、この整経ドラム２の外周面には、軸線と平行に移動可能な複数の搬送面が周方向に間隔をあけて配設されている。複数の搬送面のうち少なくとも１つの搬送面は、軸線方向において、複数の搬送部（８，９）に分かれており、これら搬送部（８，９）が異なる動きをするようになっている。【選択図】      図１
2010242276.tif 000002
【特許請求の範囲】
【請求項１】
軸線と平行に移動可能な複数の搬送面が周方向に並設された整経ドラム（２）を有する柄経糸用部分整経機（１）において、
少なくとも１つの前記搬送面は、軸線方向において、複数の搬送部（８，９）に分かれており、
前記複数の搬送部（８，９）は、異なる動きをするように構成されていることを特徴とする柄経糸用部分整経機。
【請求項２】
橋絡エレメント（１０）を有し、
前記橋絡エレメントは、少なくとも前記搬送面の間において周方向に部分的に配置され、且つ軸線方向で各搬送部（８，９）に部分的に重なるように配置されていることを特徴とする、請求項１に記載の柄経糸用部分整経機。
【請求項３】
少なくとも１つの糸ガイド（１８，２０）を備えた糸案内装置（１７、１９）は、前記整経ドラム（２）の各端部に配置されていることを特徴とする、請求項１又は２に記載の柄経糸用部分整経機。
【請求項４】
前記各搬送面は、少なくとも２つの搬送部（８，９）に分かれており、前記両端部に夫々隣接する搬送部（８，９）が逆方向に動くようになっていることを特徴とする、請求項３に記載の柄経糸用部分整経機。
【請求項５】
前記糸ガイド（１８，２０）と前記整経ドラム（２）とは、前記整経ドラム（２）の両端部において、同じ周方向に相対移動できるようになっていることを特徴とする、請求項３又は４に記載の柄経糸用部分整経機。
【請求項６】
前記各糸案内装置（１７、１９）には、個別のクリール（１５、１６）が付設されていることを特徴とする、請求項３乃至５のいずれか１項に記載の柄経糸用部分整経機。
【請求項７】
前記整経ドラム（２）は、軸線方向で２つの部分（３、４）に区分されており、
前記２つの部分（３、４）の間には、間隔（５）が設けられ、
該間隔（５）内には、軸受装置（６）が設けられていることを特徴とする、請求項１に記載の柄経糸用部分整経機。
【発明の詳細な説明】
【技術分野】
【０００１】
本発明は、軸線と平行に移動可能な複数の搬送面が周方向に並設された整経ドラムを有する柄経糸用部分整経機に関する。
【背景技術】
【０００２】
特許文献１には、上述する柄経糸用部分整経機が示されている。柄経糸用部分整経機の一方の端部には、複数の糸ガイドを備えた糸案内装置が配置されている。糸案内装置は、整経ドラムの外周面の周りで糸ガイドを回転させる。糸ガイドは、糸案内装置と共に回転する回転式クリールから糸を引き出し、この糸を整経ドラムの周面の搬送面上に給糸する。何れかの糸が必要でない場合、その糸に対応する糸ガイドは、整経ドラムの端部の前へ揺動することができ、これにより、糸が巻き取られることがなくなる。そして、搬送面は、巻き取った糸を端部から運び去る。十分な数の巻層が整経ドラムの周面の周りに巻回されると、糸が切断ロッドによって切断されて経糸とされる。その後、経糸は、整経ドラムから繰り出される。その際、整経ドラムを回転させる。
【先行技術文献】
【特許文献】
【０００３】
【特許文献１】欧州特許出願公開第１４７９８０３号明細書
【発明の概要】
【発明が解決しようとする課題】
【０００４】
本発明の課題は、利用可能性が広い柄経糸用部分整経機を提供することである。
【課題を解決するための手段】
【０００５】
本発明の柄経糸用部分整経機は、軸線と平行に移動可能な複数の搬送面が周方向に並設された整経ドラムを有し、少なくとも１つの前記搬送面は、軸線方向において、複数の搬送部に分かれており、前記複数の搬送部は、異なる動きをするように構成されているものである。
【０００６】
本発明によれば、例えば糸を巻き取る端部から遠い搬送部を停止させ、端部に隣接する搬送部だけを動かすことができる。前記端部に隣接する搬送部の全体で糸が巻き取られて、もはや巻取るための十分なスペースがなくなってはじめて、その搬送部に続く搬送部も作動させ、継続的に糸を巻き取ることができる。１つの搬送部にだけ適合した経糸も製造することができる。そして、この経糸の巻取りが完了したなら、この経糸は、その搬送部に続く搬送部に移され、最初に巻取りを行なった搬送部、即ち第１搬送部に新たな経糸を巻き取ることができる。それ故、２つの経糸を一度の巻返し工程で巻き返すことができる。
【０００７】
前記発明において、橋絡エレメントを更に有し、この橋絡エレメントは、少なくとも搬送面の間において周方向に部分的に配置され、且つ軸線方向で各搬送部に部分的に重なることが好ましい。こうして、搬送面の１搬送部から別の１搬送部に移行するときに、糸が滑り落ちて故障を引き起こすことを簡単に防止することができる。
【０００８】
前記発明において、少なくとも１つの糸ガイドを備えた糸案内装置は、前記整経ドラムの各端部に配置されていることが好ましい。前記構成によれば、各端部に糸案内装置を配置することで、整経ドラムの両方の端部から経糸を整経することができる。例えば、１つの糸案内装置を経糸の巻取りに使用する一方、別の糸案内装置では、次の整経工程の準備することができる。こうして、準備の時間を短く抑えることが可能である。
【０００９】
前記発明において、前記各搬送面は、少なくとも２つの搬送部に区分されており、前記両端部に夫々隣接する搬送部が逆方向に動くようになっていることが好ましい。前記構成によれば、例えば、両方の搬送部を互いに近づくように動かすことができる。この構成により、整経ドラムの両方の端部において、糸案内装置を同時に使用することができ、経糸を整経ドラムの両方の端部から巻取って整経することができる。そして、経糸の巻取りが完了したなら、両端部から巻取られた経糸が軸線方向で互いに当たることのないように、それらの間に隙間があってもよい。これらの隙間は、両端部から巻取られた経糸が共通の整経ビームに巻き取られるときに消滅させることができる。
【００１０】
前記発明において、前記糸ガイドと前記整経ドラムとは、前記整経ドラムの両端部において、同じ周方向に相対的に移動できるようになっていることが好ましい。前記構成によれば、整経ドラムの周面の周りに給糸するのが一方の端部の糸案内装置なのか、他方の端部の糸案内装置なのかにはかかわりなく、整経ドラムから同じ方向に糸を引き出すことができるという利点を生じる。
【００１１】
前記発明において、前記各糸案内装置には、個別のクリールが付設されていることが好ましい。前記構成によれば、大量の糸を同時に巻き取ることができるようになり、整経ドラムの軸線方向の延長上にある１つの位置から糸を供給することができる。それ故、糸にかかる負担が軽減し、各クリールから糸案内装置へと糸を案内することが容易となる。
【００１２】
前記発明において、前記整経ドラムは、軸線方向で２つの部分に区分されており、前記２つの部分の間には、間隔が設けられ、該間隔内には、軸受装置が設けられていることが好ましい。前記構成によれば、確かに、軸線方向において、１搬送部から別搬送部に経糸が移動することを阻害する間隔を搬送部の間に形成する必要がある。しかし、例えば、整経ドラムの軸線方向中央の領域で整経ドラムを支承することができるので、比較的僅かなコストで整経ドラムを支承することができるようになる。
【発明の効果】
【００１３】
本発明によれば、柄経糸用部分整経機の作動可能性を広げることができる。
【図面の簡単な説明】
【００１４】
【図１】柄経糸用部分整経機を側方から見た側面図である。
【図２】柄経糸用部分整経機を上方から見た平面図である。
【図３】柄経糸用部分整経機を正面から見た正面図である。
【図４】橋絡エレメンをト拡大して示す拡大図である。
【発明を実施するための形態】
【００１５】
以下では、本発明の好ましい実施形態について、図面に基づいて説明する。
【００１６】
図１乃至図３に示す柄経糸用部分整経機１は、整経ドラム２を有する。本実施例において、整経ドラム２は、２つのサイド３，４に区分されている。両方のサイド３，４の間には、間隔５があり、この間隔５内に軸受装置６が設けられている。軸受装置６は、ベース７を有し、このベース７を介して詳しくは図示しない床に立設されている。それ故、整経ドラム２の両端部に軸受エレメント等を設けることなく、比較的僅かなコストで整経ドラム２の両方のサイド３，４が回転可能に支承される。しかし、整経ドラム２は、例えば、経糸を巻き取る際の回動に備えて固定しておくことができる。
【００１７】
整経ドラム２は、別の方法によって支承してもよい。例えば、整経ドラム２の端部の外側に固着されて挿通される軸を用いることができる。
【００１８】
整経ドラム２の各サイド３，４は、複数の搬送面を有しており、これら複数の搬送面は、周方向に間隔をあけて設けられている。各搬送面は、搬送ベルト８，９（搬送部）によって構成されている。これら搬送ベルト８，９は、柄経糸用部分整経機の分野において知られているように、整経ドラム２の軸線と平行に移動可能である。また、搬送ベルト８，９は、整経ドラム２の外周面において、周方向に間隔をあけて並設されている。本実施例において搬送ベルト８，９は、互いに逆向きに走行するように駆動されている。
【００１９】
図４からわかるように、搬送ベルト８，９は、一つの搬送面を形成するように整経ドラム２の周方向において同じ位置に配置され、搬送ベルト８，９の間に橋絡エレメント１０を設けておくことができる。橋絡エレメント１０は、両方の搬送ベルト８，９の間に生じる軸線方向の空隙を橋絡する。橋絡エレメント１０は、周方向で搬送ベルト８と部分的に重なる腕１１，１２と、周方向で搬送ベルト９と部分的に重なる腕１３，１４とを有する。即ち、橋絡エレメント１０は、搬送ベルト８，９と軸線方向で部分的に重なっている。このように重ねることで、搬送ベルト８，９間の隙間をなくすことができ、この隙間に糸が滑り落ちて故障を引き起こすことを防ぐことができる。また、重ねることで、搬送ベルト８，９が同じ方向に動くとき、巻き取られた糸帯を一方の搬送ベルト８から他方の搬送ベルト９へと移すことができる。両方の搬送ベルト８，９を互いに逆方向で動かすと、巻き取られた糸帯を中央に寄せ集めることができる。このように中央に寄せ集めることで、巻返し時、すなわち整経ドラム２から経糸を繰り出すとき、また整経ビームに巻き取るとき、糸に対して横方向に作用する張力を小さく抑えることができる。このような作用効果を奏するが、橋絡エレメント１０は、図１及び図２に示すような整経ドラム２がその軸線方向中央に軸受装置６を有しない場合に使用することができない。
【００２０】
整経ドラム２の左端部、即ちサイド３の端部の外方には、回転式クリール１５が配置されている。整経ドラム２の右端部、すなわちサイド４の端部の外方には、回転式クリール１６が配置されている。回転式クリール１５は、糸案内装置１７と結合されており、この糸案内装置１７は、多数の糸ガイド１８を有している。また、回転式クリール１６は、糸案内装置１９と結合されており、この糸案内装置１９は、多数の糸ガイド２０を有している。このように糸案内装置１７，１９に結合された回転式クリール１５，１６は、整経ドラムの軸線方向の延長線上にある１つの位置から糸を供給することができる。それ故、糸にかかる負担が軽減され、各回転式クリール１５，１６から糸案内装置１７，１９へと糸を案内することが容易となる。
【００２１】
柄経糸用部分整経機について一般に知られているように、糸ガイド１８，２０は、軸線方向に多少動くことができる。また、糸ガイド１８，２０は、整経ドラム２の外周面に糸を巻回し、又は整経ドラム２の各端部から外方へと離れることができる。個々の糸は、糸ガイド１８，２０によって搬送ベルト８，９上の所望の位置に給糸することができる。
【００２２】
図２からわかるように、両方の回転式クリール１５，１６は、矢印２１，２２で示したように、同じ方向に回転するようになっている。つまり、糸ガイド１８，２０は、側面図である図１で下から上、平面図である図２で前から後ろへと動くようになっている。即ち、糸は、整経ドラム２において同じ周方向でそれぞれ巻き取られ、糸が整経ドラム２の左端部から巻き取られたのか、また右端部から巻き取られたのかに係わらず、すべての糸を一緒に繰り出すことができる。
【００２３】
図１乃至３面に示した柄経糸用部分整経機１は、以下の如く作動することができる。まず、整経ドラム２が固定される。各糸ガイド１８，２０は、２つの回転式クリール１５，１６から糸をそれぞれ引き出し、整経ドラム２の外周面にある搬送ベルト８，９上に給糸する。搬送ベルト８，９は、整経ドラム２の外側から互いに接近する方向に向いて動いており、両方のサイド３，４で糸層が生成されると、最後に整経ドラム２の中央に小さな空隙が残るだけとなる。これにより、巻取り、即ち整経ドラム２の周りでの糸の巻回は、終了する。糸は、詳しく図示しない切断ロッドに沿って切断され、切断された経糸は、次に整経ビームに巻き取ることができる。なお、左及び右端部から巻き取られた経糸の間にある隙間は、整経ビームで巻き取るときになくすことができる。
【００２４】
このように２つの糸案内装置１７，１９を動かすことで、整経ドラム２の両端部から同時に糸を巻き取ることができ、整経ドラム２の両方のサイド３，４で経糸を整経することができる。これにより、整経ドラム２に糸を巻き取るのに必要な時間が事実上半減する。また、整経ドラム２から経糸を繰り出すときに、各サイド３，４で巻き取られた経糸を一緒にすることができる。
【００２５】
また、柄経糸用部分整経機１では、例えば、２つの糸案内装置１７，１９のうち一方の糸案内装置１７を整経ドラム２の一方のサイド３で新たな柄出しのために備えることができ、他方の糸案内装置１９を整経ドラム２の他方のサイド４で柄経糸を整経ドラム２の外周面に巻き取りに使用することができる。それ故、準備の時間を短く抑えることができ、この短く抑えた時間を製品の生産に利用することができる。これにより、高い生産性を達成することができる。
【００２６】
整経ドラム２は、その軸線方向中央で支承されるのでなく、別の方法で支承されている場合、１つの連続した搬送ベルトを用いることができる。この場合、搬送ベルトは、双方向に駆動できるようになっており、まず回転式クリール１５でもって、整経ドラム２の左端部だけに糸が給糸されて、前記左端部だけで巻層を生成することができる。次に、回転式クリール１５が糸ガイド１８と共に作動する限り、整経ドラム２の他方の端部は、フリーである。そこで、糸ガイド２０は、次の整経工程のために準備することができる。そして、左端部からの巻取り終了した後に、経糸が回転式クリール１６から引き出されると、それに直接続けて整経ドラム２の右端部から経糸を巻き取ることができる。すなわち、整経ドラム２の両端部から交互に整経することができる。これにより、左端部に巻取った後に右端部に経糸を巻き取るべく準備にかかる時間の必要がなくなる。
【００２７】
また、両方のサイド３，４の間に間隔５がなく、整経ドラム２が別の方法で支承されている場合、搬送ベルト９を動かさない間に、例えば一方の端部から糸ガイド１８によって搬送ベルト８上で糸を巻き取るように処理することもできる。そして、搬送ベルト８上で経糸が仕上がると、搬送ベルト８，９を共に同じ方向に動かして経糸を搬送ベルト９に移し、搬送ベルト８上で新たな経糸を巻き取る。その場合、２つの経糸を一度の巻返し工程で巻き返すことができ、整経の時間が節約される。この構成では、第２の回転式クリール（たとえば、回転クリール１６）は、引き続き整経をするための準備の時間を節約するために用いることができるが、必ずしも２つの回転式クリールを用いることが必要ではなく、経糸帯の幅が小さいときに可能である。
【００２８】
なお、本発明は、実施の形態に限定されず、発明の趣旨を逸脱しない範囲で追加、削除、変更が可能である。
【産業上の利用可能性】
【００２９】
以上のように、軸線と平行に移動可能な複数の搬送面が周方向に並設された整経ドラムを有する柄経糸用部分整経機に好適である。
【符号の説明】
【００３０】
１  柄経糸用部分整経機
２  整経ドラム
３  サイド
４  サイド
５  間隔
６  軸受装置
８  搬送ベルト
９  搬送ベルト
１０  橋絡エレメント
１５  回転式クリール
１６  回転式クリール
１７  糸案内装置
１８  糸ガイド
１９  糸案内装置
２０  糸ガイド
【図１】
2010242276.tif 000003
【図２】
2010242276.tif 000004
【図３】
2010242276.tif 000005
【図４】
2010242276.tif 000006